【事件の表示】
　特願２００１−３２７３７８「再生装置およびスキャン再生方法」拒絶査定不服審判事件〔平成１５年　５月　９日出願公開、特開２００３−１３２６５９〕について、次のとおり審決する。
【結　論】
　本件審判の請求は、成り立たない。
【理　由】
 １．手続の経緯・本願発明
 　本願は、平成１３年１０月２５日の出願であって、平成１７年９月２２日付け拒絶理由通知に対して、平成１７年１２月２日付けで手続補正がなされ、平成１８年１月１０日付け拒絶理由に対して、平成１８年３月２０日付けで手続補正がなされたが、平成１８年４月７日付けで拒絶の査定がなされ、これに対し、平成１８年５月１１日付けで拒絶査定不服審判が請求されたが、その後当審において、平成２０年３月２５日付けで拒絶理由が通知され、それに応答して平成２０年５月２８日付けで手続補正がなされたものである。そして、本願の請求項１乃至４に係る発明は、平成２０年５月２８日付け手続補正書によって補正された明細書の特許請求の範囲の請求項１乃至４に記載された事項により特定されるものと認められるところ、その請求項１に係る発明は次のとおりのものである。
「　　【請求項１】
　複数の楽曲ファイルがフォルダ単位に複数階層化されて記録されている所定の媒体から、任意の楽曲ファイルを再生する再生装置であって、
　媒体におけるファイル構造を規定する階層情報を、当該媒体から取得する取得手段と、
　前記取得手段により取得された階層情報を解析し、異なる階層も含めた全てのフォルダについて、配下のフォルダを優先して連番が付されたフォルダ番号と、それぞれのフォルダに属する各楽曲ファイルとを規定するフォルダ管理情報を生成する生成手段と、
　前記生成手段により生成されたフォルダ管理情報のフォルダ番号に従って、複数階層における各フォルダ内の先頭楽曲ファイルを検索する検索手段と、
　前記検索手段により検索された楽曲ファイルを初めから再生する再生手段と、
　前記再生手段が楽曲ファイルの再生を開始してから、所定時間が経過すると、前記検索手段を制御し、フォルダ番号の連番に沿って、次のフォルダの先頭楽曲を順次検索させる制御手段と、
　を備えることを特徴とする再生装置。」（以下「本願発明」という。）
　
２．刊行物及びその記載
　当審における拒絶の理由に引用された刊行物である「ＣＤ／ＭＰ３／ＭＤ／ＡＶ／ＴＥＬ−ＬＩＮＫコントロール、ＤＳＰ／ＥＱ内蔵ＡＭ／ＦＭチューナ付ＣＤ／ＭＤデッキアンプ　ＤＭＺ８１５ＭＰ　取扱説明書，クラリオン株式会社，２００１年６月」（以下「刊行物１」という。）には、ＣＤ／ＭＤデッキアンプについて、図面とともに以下の記載がある。（なお、下線は当審で付与した。）
　
（１）「●ＭＰ３のフォルダー作成について
ＭＰ３のフォルダーは８階層まで作成できます
　
（２）「
聴きたいフォルダーを探す
（フォルダースキャン演奏）
フォルダースキャン演奏について・・・
ＭＰ３ディスク内の全てのフォルダーの最初の曲を約１０秒間ずつ演奏します。
１　スキャンボタンを押し続ける（約１秒間）
ＳＣＡＮＰＳ／ＡＳ　ＳＣ
→ディスプレイに「ＦＯＬＤＥＲ」と「ＳＣＮ」が点灯し、タイトル表示部に「ＦＯＬＤＥＲ　ＳＣＡＮ」を約２秒間表示して、フォルダースキャン演奏をします。
・スキャン演奏は、演奏している曲の次の曲からはじまります。
■
フォルダースキャン演奏を解除するには・・・
もう一度スキャンボタンを押してください。
→ディスプレイの「ＦＯＬＤＥＲ」と「ＳＣＮ」が消え、今演奏している曲が演奏されます。
  　
（３）刊行物１の３８頁にはＭＰ３ファイルを多階層で作成し、フォルダー内に格納することが記載されている。
　
　上記摘示事項を、図面とともに総合整理すると、刊行物１には「ＣＤ／ＭＤデッキアンプ」について以下の発明が記載されているものと認める。
　
「８階層までのフォルダー構造でＭＰ３ファイルを格納したＭＰ３ディスクを再生するＣＤ／ＭＤデッキアンプにおいて、
スキャンボタンが約１秒間押し続けられると、
ＭＰ３ディスク内の全てのフォルダーの最初の曲を約１０秒間ずつ演奏し、
もう一度スキャンボタンが押されると、フォルダースキャンが解除され、今演奏している曲が演奏される
　ＣＤ／ＭＤデッキアンプ。」（以下「刊行物１発明」という。）　
　
　また、同じく、当審における拒絶の理由に引用された刊行物である特開２００１−２６５７９５号公報（以下「刊行物２」という。）には、図面とともに以下の記載がある。
　
（４）「【００４１】処理制御部１は、検出したディスク種別がＣＤ−Ｒ又はＣＤ−ＲＷであるか否かを判別する（ステップＳ１２）。
すなわち、処理制御部１は、検出結果に従って、ディスク１０が書き換え可能なＣＤ−Ｒ等のディスクであるか否かを判別する。
【００４２】処理制御部１は、ＣＤ−Ｒ等でない（書き換え不能なディスクである）と判別した場合、後述するステップＳ１４に処理を進める。
一方、処理制御部１は、ＣＤ−Ｒ等である（書き換え可能なディスクである）と判別した場合、ＰＶＤが記録されているか否かを判別する（ステップＳ１３）。
【００４３】処理制御部１は、ＰＶＤがないと判別した場合、及び、上述のステップＳ１２にてディスク種別がＣＤ−Ｒ等でないと判別した場合、ディスク１０がＣＤ−ＤＡであるか否かを判別する（ステップＳ１４）。すなわち、処理制御部１は、リードイン領域のＴＯＣに含まれる情報に従って、ディスク１０に記録された楽曲データがＣＤ−ＤＡ（音楽ＣＤ）であるか否かを判別する。
【００４４】　処理制御部１は、ＣＤ−ＤＡであると判別した場合、種別情報に音楽ＣＤを示す区分をセットする（ステップＳ１５）。すなわち、処理制御部１は、ディスク１０に記録された楽曲データの種別が、音楽ＣＤであることを示す区分を種別情報にセットし、メモリ８に記憶する。一方、ＣＤ−ＤＡでないと判別した場合、処理制御部１は、そのまま初期処理を終了する。　
【００４５】
また、ステップＳ１３にて、ＰＶＤが存在すると判別した場合、処理制御部１は、ＭＰ３形式の楽曲データ（ファイル）が記録されているか否かを判別する（ステップＳ１６）。
【００４６】処理制御部１は、ＭＰ３形式のファイルが存在しないと判別した場合、そのまま初期処理を終了する。
一方、ＭＰ３形式のファイルが存在すると判別した場合、処理制御部１は、種別情報にＭＰ３をセットする（ステップＳ１７）。すなわち、処理制御部１は、ディスク１０に記録された楽曲データの種別が、ＭＰ３形式であることを示す区分を種別情報にセットし、メモリ８に記憶する。
【００４７】
処理制御部１は、ディスク１０のＰＶＤを読み出し、ルート直下のフォルダを検索する（ステップＳ１８）。すなわち、処理制御部１は、最上位の階層に配置された各フォルダを検索する。
【００４８】処
理制御部１は、検索結果に従って、フォルダテーブル８１及び表示管理テーブル８２を生成する（ステップＳ１９）。すなわち、処理制御部１は、最上位の階層に配置された各フォルダのフォルダ名等をフォルダテーブル８１にセットし、また、カレントフォルダ名や階層番号等を表示管理テーブル８２にセットして、メモリ８に記憶する。そして、処理制御部１は、初期処理を終了する。上述の初期処理により、ディスク１０に記録された楽曲データの種別を示す種別情報がメモリ８に記憶され、また、楽曲データがＭＰ３形式である場合に、フォルダテーブル８１等が生成されてメモリ８に記憶される。
　
（５）「【００６１】上記の実施の形態では、
フォルダテーブル８１にカレントフォルダ内のフォルダ名だけを記憶したが、フォルダテーブル８１に全てのフォルダを記憶してもよい。また、その際、全フォルダにフォルダ番号を割り当ててフォルダテーブル８１に記憶してもよい。
  　
　また、同じく、当審における拒絶の理由に引用された刊行物である特開２００１−２６６５５４号公報（以下「刊行物３」という。）には、図面とともに以下の記載がある。
　
（６）「【００４７】
処理制御部１は、ＰＶＤを読み出し、所定のフォルダ配下のファイルを検索する（ステップＳ２３）。例えば、処理制御部１は、ルート直下のフォルダ内に配置された各ファイルを検索する。
【００４８】
処理制御部１は、テキストテーブル９２に検索したファイルを識別するファイル名等をセットする（ステップＳ２４）。すなわち、処理制御部１は、ディスクタイトルにフォルダ名をセットし、また、トラックタイトルにファイル名をセットし、メモリ９に記憶する。この結果、初期処理にて、ディスク１１の種別等に従って種別テーブル９１が生成され、また、ディスク１１に記録されたテキストデータ又は、ファイル名等に従ってテキストテーブル９２が生成される。
　
３．本願発明と刊行物１発明との対比・判断 
（ａ）刊行物１発明の「ＭＰ３ディスク」は、「８階層まで」の階層構造のフォルダー構造で、楽曲ファイルである「ＭＰ３ファイル」が格納されているから、本願発明の「複数の楽曲ファイルがフォルダ単位に複数階層化されて記録されている所定の媒体」に相当する。
（ｂ）刊行物１発明「ＣＤ／ＭＤデッキアンプ」は、楽曲ファイルである「ＭＰ３ファイル」を再生する装置であって、本願発明の「任意の楽曲ファイルを再生する再生装置」に相当する。
（ｃ）刊行物１発明は「ＭＰ３ディスク内のすべてのフォルダーの最初の曲を約１０秒間ずつ演奏」しており、最初の曲を演奏するために、最初の曲の検索を行っていることは自明であるから、本願発明の「複数階層における各フォルダ内の先頭楽曲ファイルを検索する検索手段」に相当する機能を備えている。
（ｄ）刊行物１発明は「ＭＰ３ディスク内のすべてのフォルダーの最初の曲を約１０秒間ずつ演奏」しているから、本願発明と、「検索手段により検索された楽曲ファイルを再生している」点で共通する。
（ｅ）刊行物１発明は「ＭＰ３ディスク内のすべてのフォルダーの最初の曲を約１０秒間ずつ演奏」するものであるから、ＭＰ３ファイルの演奏を開始してから約１０秒が経過すると、今まで演奏されているフォルダーとは異なるフォルダーの最初の曲を検索して約１０秒間演奏するものであり、刊行物１発明は「前記再生手段が楽曲ファイルの再生を開始してから、所定時間が経過すると、前記検索手段を制御して、次のフォルダ番号となるフォルダの先頭楽曲を順次検索させる」点で、本願発明の「制御手段」と共通する機能を備えていることは明らかである。
　
　したがって、本願発明と刊行物発明との［一致点］及び［相違点］は以下のとおりである。
　
 　［一致点］
「複数の楽曲ファイルがフォルダ単位に複数階層化されて記録されている所定の媒体から、任意の楽曲ファイルを再生する再生装置であって、
　複数階層における各フォルダ内の先頭楽曲ファイルを検索する検索手段と、
　前記検索手段により検索された楽曲ファイルを再生する再生手段と、
　前記再生手段が楽曲ファイルの再生を開始してから、所定時間が経過すると、前記検索手段を制御し、次のフォルダの先頭楽曲を順次検索させる制御手段と、
　を備える再生装置。」の点。
　
　[相違点］
（相違点１）
　本願発明が「媒体におけるファイル構造を規定する階層情報を、当該媒体から取得する取得手段と、前記取得手段により取得された階層情報を解析し、異なる階層も含めた全てのフォルダについて、配下のフォルダを優先して連番が付されたフォルダ番号と、それぞれのフォルダに属する各楽曲ファイルとを規定するフォルダ管理情報を生成する生成手段」を備えるのに対して、刊行物１発明ではそのような生成手段について特定されてない点。
　
（相違点２）
　本願発明では、検索手段により検索された楽曲ファイルを初めから再生するのに対して、刊行物１発明には「最初」から再生する点について記載されていない点。
　
（相違点３）
　本願発明では「フォルダ番号の連番に沿って、次のフォルダの先頭楽曲を順次検索させる」のに対して、刊行物１発明では「フォルダ番号の連番に沿って」検索する点について特定されていない点。
　
４．当審の判断
（相違点１について）
　刊行物２には、ファイル構造を規定する階層情報を媒体から取得して、取得した階層情報を解析して、フォルダテーブルを作成することと、フォルダテーブルに全てのフォルダを記憶し、全フォルダにフォルダ番号を割り当ててフォルダテーブルに記憶することが記載（上記摘示事項（４）、（５）参照）されている。そして、刊行物１発明とは、ＭＰ３を再生するシステムである点で技術分野が共通する。
　したがって、刊行物１発明においても、ファイル構造を規定する階層情報を媒体から取得し、取得した階層情報を解析し、異なる階層も含めた全てのフォルダーの番号を規定するフォルダテーブルを生成する構成とすることに格別の困難性は認められない。そして、刊行物１には、フォルダーに、異なる階層も含めた全てのフォルダーについて、配下のフォルダーを優先して連番のフォルダー番号が付されている図面が記載（第４３頁左欄参照）されており、フォルダー番号を付す際に、当該図面に付された順にフォルダー番号を付することも適宜なしうることである。
　また、ファイル構造を規定する階層情報（ＰＶＤ）を解析して作成したテーブルにフォルダに属する各楽曲ファイル名を格納しておくことも、刊行物３に記載されているように周知（上記記摘示事項（６）参照）であり、フォルダテーブルの構成としてフォルダに属するファイル名を格納しておくことは当業者が適宜なし得る程度のことである。
　
（相違点２について）
　聴きたい曲を捜すためのスキャン再生を行う際に、曲の最初の部分を再生させることは周知であり、刊行物１発明においても、フォルダースキャン再生の際に楽曲ファイルを初めから再生する上記相違点２の構成は、当業者が容易に想到し得ることである。
　
（相違点３について）
　刊行物１発明には、ダイレクト選択モードとして、ＭＰ３ファイルの存在するフォルダーを選択して演奏することが記載（第４３頁右欄）されている。また、図面を参照すると、フォルダーに付された番号の連番にそって、キー操作に応じてＭＰ３ファイルが存在すフォルダーを順次検索している。したがって、刊行物１発明のフォルダースキャンの際にも、同様にフォルダーに付された番号の連番の順にフォルダーを選択する構成とすることは当業者が容易に想到しうることである。
　
 そして、上記相違点についての判断を総合しても本願発明の奏する効果は、各刊行物から当業者が十分予測可能なもので格別のものではない。
　
　なお、請求人は、平成２０年５月２８日付意見書で、
「引用文献１は、ＭＰ３形式の楽曲ファイルも演奏可能な再生機器（ＣＤ／ＭＤデッキア
ンプ）の取扱説明書であり、フォルダスキャン（フォルダースキャン）演奏についても記
載されております。
　具体的にこの取扱説明書は、４４ページ（右欄）に、「ＭＰ３ディスク内の全てのフォ
ルダーの最初の曲を約１０秒間ずつ演奏します。」と記載されています。なお、同ページ
には「・スキャン演奏は、演奏している曲の次の曲からはじまります。」とも記載されて
おり、フォルダの最初の曲を演奏するはずのフォルダスキャン演奏とは、全く矛盾した記
載がなされております。」と主張する。
　しかしながら、請求人の主張する「・スキャン演奏は、演奏している曲の次の曲からはじまります。」との記載は、演奏中に、フォルダースキャン演奏が指示された際に、フォルダフォルダスキャン演奏の一曲目が、現在演奏している曲の次の曲であることが記載されているのみであり、１曲目の再生の後、続けて聴きたいフォルダを探すために、ＭＰ３ディスク内の全てのフォルダの最初の曲を約１０秒ずつ演奏することと矛盾するものではない。
  したがって、上記主張は採用できない。
　
 　よって、本願発明は、刊行物１発明及び刊行物２、３に基づいて当業者が容易に発明をすることができたものである。
　
５．むすび　
 　以上のとおりであるから、本願請求項１に係る発明は、特許法第２９条第２項の規定により特許を受けることができないものである。 
 　したがって、本願は、その余の請求項について論及するまでもなく、拒絶をすべきものである。
　よって、結論のとおり審決する。